(57)【特許請求の範囲】
【請求項１】
キッチン内部に設置収納するビルトイン式生ごみ処理機において、処理機本体と、前記処理機本体に着脱自在に設けた生ごみ収納容器と、前記収納容器に設けられ、前記処理機本体からの生ごみ投入の為の開口部と、バネ体に附勢され前記開口部を閉じる摺動可能なカバーからなる閉鎖手段とを備え、前記閉鎖手段は、前記収納容器を前記処理機本体へ装着した時に前記開口部を開放し、かつ前記収納容器を前記処理機本体から取り出す時には、前記バネ体の弾性により前記閉鎖手段を押し戻し開口部が閉鎖するように構成したビルトイン式生ごみ処理機。
【請求項２】
収納容器を上下に分割可能に構成した請求項１に記載のビルトイン式生ごみ処理機。
【請求項３】
閉鎖手段は、少なくとも開口部を覆う部分を透明材料で構成した請求項１または２に記載のビルトイン式生ごみ処理機。
【発明の詳細な説明】
【技術分野】
【０００１】
本発明は、台所等で出る生ごみを処理するキッチンに設置収納するビルトイン式生ごみ処理機に関するものである。
【背景技術】
【０００２】
従来のビルトイン式生ごみ処理機の構成について、図７および図８を用いて説明する。１０１は生ごみ処理機本体であり、キッチン１０２のシンク部１０３下方に設けたディスポーザー１０５並びに排水管１０６と接続して設置収納するものである。通常の使用状態においては、１０４に示すキッチン扉にて閉ざされた収納形態となるものである。また前
記処理機本体１０１には、生ごみの回収を行うための収納容器１０７が着脱自在に設けられ、その上部には、処理機本体１０１内部からの生ごみ投入口ならびに、廃棄時の取出し口として構成された収納容器１０７の開口部１０９が構成されている。
【特許文献１】特開２００５−６６４７８号公報
【発明の開示】
【発明が解決しようとする課題】
【０００３】
しかしながら上記従来の構成では、使用者による処理機本体からの生ごみ廃棄の際、取出した収納容器を台所内より運搬しなければならず、開口部を有した収納容器では異臭を家屋内に振り撒く状況となっていた。
【０００４】
本発明は上記課題を解決するもので、生ごみ廃棄時に運搬される収納容器の開口部の閉鎖を行い、異臭もれ防止に伴う使用性の良いビルトイン式生ごみ処理機を提供することを目的とする。
【課題を解決するための手段】
【０００５】
上記課題を解決するために本発明は、キッチン内部に設置収納するビルトイン式生ごみ処理機において、処理機本体と、前記処理機本体に着脱自在に設けた生ごみ収納容器と、前記収納容器に設けられ、前記処理機本体からの生ごみ投入の為の開口部と、バネ体に附勢され前記開口部を閉じる摺動可能なカバーからなる閉鎖手段とを備え、前記閉鎖手段は、前記収納容器を前記処理機本体へ装着した時に前記開口部を開放し、かつ前記収納容器を前記処理機本体から取り出す時には、前記バネ体の弾性により前記閉鎖手段を押し戻し開口部が閉鎖するように構成したことにより、生ごみ廃棄時に運搬される収納容器の開口部の閉鎖を行い、異臭もれ防止に伴う使用性の良いキッチンビルトイン式生ごみ処理機を提供できる。
【発明の効果】
【０００６】
本発明のキッチンに設置収納するビルトイン式生ごみ処理機は、収納容器の搬出時に開口部の閉鎖が行えるので、家屋内での臭気の拡散を防止できるものとなる。
【発明を実施するための最良の形態】
【０００７】
第１の発明は、キッチン内部に設置収納するビルトイン式生ごみ処理機において、処理機本体と、前記処理機本体に着脱自在に設けた生ごみ収納容器と、前記収納容器に設けられ、前記処理機本体からの生ごみ投入の為の開口部と、バネ体に附勢され前記開口部を閉じる摺動可能なカバーからなる閉鎖手段とを備え、前記閉鎖手段は、前記収納容器を前記処理機本体へ装着した時に前記開口部を開放し、かつ前記収納容器を前記処理機本体から取り出す時には、前記バネ体の弾性により前記閉鎖手段を押し戻し開口部が閉鎖するように構成したことにより、処理機本体内部から処理容器の取出し直後に開口部が閉鎖でき、かつ生ごみ廃棄時に運搬される収納容器の開口部の閉鎖ができ、異臭もれ防止に伴う使用性の向上を達成できるものとなる。
【０００８】
第２の発明は、特に第１の発明において、収納容器を上下に分割可能に構成したことにより、廃棄時における取出し口を兼ねた開口部の閉鎖手段解除が省略可能となり、且つ、複数の部品を構成する部位以外での分割が可能となることから、別途廃棄用の開口部が容易に大口径に構成できるものとなり、より使用性の向上を達成するものとなる。
【０００９】
第３の発明は、特に第１または第２の発明において、閉鎖手段は、少なくとも開口部を覆う部分を透明材料で構成したことにより、収納容器内の生ごみ量の蓄積確認が目視で確認可能となり、異臭対策に加え開口時同様の使用性が維持できるものとなる。
【００１０】
以下、本発明の実施の形態について、図面を参照しながら説明する。なお、この実施の形態によって本発明が限定されるものではない。
【００１１】
（実施の形態１）
図１は本発明の実施の形態１のビルトイン式生ごみ処理機の概略構成図である。図２はキッチン２への処理機本体１の設置構成図である。図３は処理機本体１の詳細構成図である。以下ビルトイン式生ごみ処理機の概略構成より順次詳細に構成を説明する。
【００１２】
図１に示すように、キッチン内に設けられたシンク部３より生ごみは投入された後、ディスポーザー４にて粉砕され、下方に設置した処理機本体１に搬送される。搬送された生ごみは、処理機本体１上部に設けた固液分離装置１１によって固体分と液体分に分離されると共に、液体分は排水管５を通り下水へ排水され、残留する固体分は処理機本体１に配設した収納容器１５にて回収されるものとなる。前記回収された固体分は収納容器１５内で蓄積され送風空気によって乾燥処理されるものであり、乾燥処理後の送風空気は処理機本体１の外部へ排気として放出されると共に、前記収納容器１５に回収した固形分（乾燥ごみ）は、満杯時に使用者による処理機本体１外への廃棄処理を必要とする概略構成である。
【００１３】
次に具体的なキッチン２への処理機本体１の設置構成について図２を用いて説明する。
【００１４】
１は処理機本体であり、台所に設けたキッチン２のシンク部３下方内部に設置するものである。設置においては、同じくキッチン２内のシンク部３下部に設けたディスポーザー４、ならびに排水管５を接続したものであり、加えてキッチン２の扉を処理機本体１の前面外郭パネル６として共有した構成においてキッチン２内へ設置するものである。
【００１５】
次に処理機本体１の詳細な構成について、図３から図７を用いて説明する。
【００１６】
７は処理機本体１の内部中央に位置しフレームとして設けられた本体容器であり、前方を開口し、内部に別部品で構成した収納容器１５を着脱自在に装着している。この収納容器１５には、処理機本体１内部からの生ごみ投入口ならびに、廃棄時の取出し口として構成された開口部２１があり、透明部材で形成しカバーＡ３４を摺動可能として、且つ左右に設けたバネ体２２に附勢させた閉鎖手段２３を設けている。前記閉鎖手段２３は、本体容器７への装着時において、本体容器７内に設けたリブ（図示せず）により前記閉鎖手段２３の後端部２４が押され、前方へ摺動することにより開口部２１を開放する。また、前記バネ体２２を圧縮してなるものであり、本体容器７からの取出し時には、前記バネ体２２の弾性により閉鎖手段２３を後方へ押し戻し開口部２１の閉鎖を行うようにしている。
【００１７】
次に収納容器１５の分割構成について図６を用いて説明する。図に示すように、収納容器１５を収納容器上２７と収納容器下２８の上下に分割する分割部２５を構成し、生ごみ取出し口２６を形成している。前記生ごみ取出し口２６は収納容器１５を上下に分割する分割部２５の開口部であり、通常次に示す構成により保持固定されている。前記分割部２５を境に収納容器１５は収納容器上２７ならびに、収納容器下２８として別部品で構成され、その部品間の締結には、背面位置に設けた双方の回動部Ａ２９と回動部Ｂ３０を、１本の軸体３１により連通され取付けられている。結果、収納容器１５は分割部２５をもって回動自在となると共に、前記回動部Ａ２９と回動部Ｂ３０の対面位置で、収納容器上２
７と収納容器下２８を狭持固定する係止手段３２を設けて構成させている。また、３３は使用者が生ごみ廃棄時に運搬に使用するサゲテ部である。本体容器７上部には、前記ディスポーザー４と連結する固液分離装置１１が設けられ、その周辺には、乾燥を目的とする送風空気の発生装置である送風機１２および、脱臭手段１３を有した排気手段１４が取付けられている。６はキッチンの扉と共有する処理機本体１の前面外郭パネルであり、前記本体容器７の下部に設けた伸縮レール体１６に固定され、キッチン２内部に設置された処理機本体１より引出し自在な構成としている。また前面外郭パネル６の裏面には、前記収納容器１５を着脱自在とする嵌合部（図示せず）が設けられ取付けられている。
【００１８】
次に構成における動作と作用について説明する、このようにキッチン２のシンク部３より投入された生ごみは、処理機本体１に装着された収納容器１５に回収された後乾燥されるものとなる。また、満杯時には使用者によって処理機本体１より抜き出され家屋外廃棄されるものである。特に、上記構成では、生ごみ廃棄時に運搬される収納容器１５の開口部２１の閉鎖が行える。結果、家屋内での廃棄運搬時に臭気が室内に拡散するのを防止できる。
【産業上の利用可能性】
【００１９】
以上のように、本発明にかかるキッチンに組み込み可能なビルトイン生ごみ処理機は、収納容器の搬出時に開口部の閉鎖が行えるので、家屋内での臭気の拡散を防止できるもので、ビルトイン以外の生ごみ処理機でも利用可能である。
【図面の簡単な説明】
【００２０】
【図１】（ａ）本発明実施形態１におけるビルトイン式生ごみ処理機のキッチンへの組み込み状態を示す概略構成図（ｂ）同ビルトイン式生ごみ処理機の斜視図
【図２】同処理機本体の設置構成図
【図３】同処理機本体の詳細構成図
【図４】同収納容器の開口部が開いた状態の概観図
【図５】同収納容器の開口部が閉まった状態の概観図
【図６】同収納容器の分割時の概観図
【図７】従来のビルトイン式生ごみ処理機のキッチンへの設置状態を示す構成図
【図８】従来のビルトイン式生ごみ処理機の概観図
【符号の説明】
【００２１】
１    処理機本体
１５  収納容器
２１  開口部
２３  閉鎖手段
３４  カバーＡ
【図１】
0005083029.tif 000002
【図２】
0005083029.tif 000003
【図３】
0005083029.tif 000004
【図４】
0005083029.tif 000005
【図５】
0005083029.tif 000006
【図６】
0005083029.tif 000007
【図７】
0005083029.tif 000008
【図８】
0005083029.tif 000009